(57)【要約】【課題】  ネットワークに接続され、アプリケーションがインストールされ、ライセンスにより該アプリケーションを実行可能にするＭＦＰのようなデバイスが存在する。このようなＭＦＰデバイスにおいて、ネットワーク経由でライセンスをインストールしたい場合がある。従来このようなＭＦＰ内にプリインストールされているアプリケーションの有効化は、直接ＭＦＰに数字を入力することで対応していた。この方法では、アプリを有効化するだけで、ライセンスの有効期限や回数制限を設定することができなかった。【解決手段】  上述した課題を解決するために、本発明は、デバイスにプリインストールされているアプリをネットワーク経由でインストールする手段を特徴とする。【選択図】  図１
2011002978.tif 000002
【特許請求の範囲】
【請求項１】
ライセンスにより管理される一つ以上のアプリケーションが稼動する情報処理装置と
ライセンスを管理するライセンス管理装置と
がネットワークを介して接続され、
情報処理装置間でライセンスの転送が可能なライセンス管理システムであって、
情報処理装置にインストール可能なライセンス発行手段を
ライセンス管理装置は有し、
使用制限を指定した場合は、ネットワーク経由でインストール可能なライセンスの発行を行なうライセンス発行手段と、使用制限を指定しない場合は、デバイスに直接インストール可能なライセンスを発行するラインセンス発行手段を
第一の情報処理装置が有し、
ライセンスの転送を行なう場合、第一の情報処理装置でライセンスの無効化を行なうライセンス無効化手段を
第一の情報処理装置が有し、
ライセンス管理装置が転送したライセンスを元にアプリケーションの有効化を行なう有効化手段を
第二の情報処理措置が有する
ことを特徴とするライセンス管理システム。
【発明の詳細な説明】
【技術分野】
【０００１】
本発明は、ライセンス管理システムにおける、ライセンス発行方法ならびに方法を実行するプログラムに関する。
【背景技術】
【０００２】
ネットワーク接続され、ライセンス付きアプリケーションがインストール可能な機器がある。また、ライセンス発行サーバを用いて、アプリケーションおよびそのライセンスを他の機器に不正なく移譲できるようにする処理がある（例えば特許文献１参照）
特許文献１と本発明は、ライセンスを転送する手段を提供するという点については類似である。しかし、先行件が機能の有効化に転送ライセンスキー番号という24桁の数字を利用しているのに対し、本発明はファイル形式でネットワーク経由でのインストールにも対応している点が異なる。
【先行技術文献】
【特許文献】
【０００３】
【特許文献１】特開2006-107468号公報
【発明の概要】
【発明が解決しようとする課題】
【０００４】
上記システムの場合、前記ライセンス付きアプリケーションがインストール可能な機器上のアプリケーションをネットワーク経由でインストールすることは考慮されていない、という問題がある。
【課題を解決するための手段】
【０００５】
上述した課題を解決するために、本発明は、以下の手段を有する。機器に内蔵するアプリケーションをネットワーク経由で有効化を行う手段。
【発明の効果】
【０００６】
本発明によって、機器に内蔵するアプリケーションの有効化を、ネットワーク経由で実現できる。
【図面の簡単な説明】
【０００７】
【図１】本発明の一実施の形態におけるシステム構成図である。
【図２】本発明の一実施の形態における複合機の機能ブロック図である。
【図３】本発明の一実施の形態におけるライセンス発行サーバのブロック図である。
【図４】本発明の一実施の形態におけるライセンス発行サーバのライセンス発行開始のためのユーザインタフェースである。
【図５】本発明の一実施の形態におけるライセンス発行サーバのライセンス発行開始のためのユーザインタフェースである。
【図６】本発明の一実施の形態におけるライセンス発行サーバのライセンス発行（確認）のためのユーザインタフェースである。
【図７】本発明の一実施の形態におけるライセンス発行サーバのライセンス発行（発行完了）のためのユーザインタフェースである。
【図８】本発明の一実施の形態における複合機のアプリケーション転送（無効化処理開始）のためのユーザインタフェースである。
【図９】本発明の一実施の形態における複合機のアプリケーション転送（無効化処理確認）のためのユーザインタフェースである。
【図１０】本発明の一実施の形態における複合機のアプリケーション転送（無効化処理完了）のためのユーザインタフェースである。
【図１１】本発明の一実施の形態におけるライセンスファイルフォーマットの一例である。
【図１２】本発明の一実施の形態におけるライセンスファイルの一例である。
【図１３】本発明の一実施の形態におけるライセンス発行サーバのライセンス発行処理におけるフローチャートである。
【図１４】本発明の一実施の形態における複合機のライセンス無効化処理におけるフローチャートである。
【発明を実施するための形態】
【０００８】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【０００９】
（システム構成）
図１は、本発明の好適な実施の形態に係る情報処理装置を含むネットワークシステムの構成図である。
【００１０】
図１中、１０１はライセンス情報発行処理全般を司る情報処理装置としてのライセンス情報発行サーバである。このライセンス情報発行サーバ１０１に設けられているコンピュータシステムにより、サーバクセス手段、番号要求手段、機体番号認識手段、ライセンス発行確認要請手段、機体番号検査手段、ライセンスキー発行手段、オプション情報登録手段識別子生成手段及び識別子送信手段等が構成されている。
【００１１】
１０２、１０３は一台でプリンタ、スキャナー、コピー機、ＦＡＸなどの機能を兼ね備える多機能周辺機器（Ｍｕｌｔｉｆｕｎｃｔｉｏｎ  Ｐｅｒｉｐｈｅｒａｌ（ＭＦＰ））である。該ＭＦＰ上には複数のアプリケーションとライセンスがインストール可能で、各々固有の機器ＩＤを有する。
【００１２】
ＭＦＰ１０２は、本発明におけるアプリケーション、ライセンスの転送元のＭＦＰである。
【００１３】
ＭＦＰ１０３は、本発明におけるアプリケーション、ライセンスの転送先のＭＦＰである。
【００１４】
１０４はインターネットなどのネットワークであり、ＭＦＰ１０２は、ネットワーク１０４を介してライセンス情報発行サーバ１０１と接続することができる。
【００１５】
同様に１０５はインターネットなどのネットワークであり、ＭＦＰ１０３は、ネットワーク１０５を介してライセンス情報発行サーバ１０１と接続することができる。
【００１６】
１０６、１０７は、ＭＦＰ１０２、１０３の操作者である。
【００１７】
操作者１０６はＭＦＰ１０２を操作し、ライセンス付きアプリケーション転送時にＭＦＰ１０２上の転送したいアプリケーションを選択する。
【００１８】
操作者１０７はＭＦＰ１０３を操作し、ＭＦＰ１０３上にＭＦＰ１０２上から転送されたライセンス付きアプリケーションをインストールする。
【００１９】
なお本発明においては、前記操作者１０６、１０７は、異なっても良いし、同一であっても良い。
【００２０】
（装置の説明）
＜ＭＦＰ＞
図２は、本実施例における複合機の機能ブロック図である。
【００２１】
２０１は第一、第二、第三の複合機を現す。２０２はスキャナー機能部を現し、紙文書を読み取り二値画像データに変換する機能を有する。２０３はプリント機能部を現し、先にスキャナー機能部２０２により読み取られ、二値画像データに変換された画像を、プリンタに対するコマンドを付加してプリンタデバイスに出力する機能を有する。また２０４はファクシミリ機能部を現す。先にスキャナー機能部２０２により読み取られ、二値画像データに変換された画像を、Ｇ３、Ｇ４等のファクシミリ規格に応じた符号化を行う。また前記ファクシミリ規格応じたプロトコルにより外部ファクシミリと画像通信を行う機能を有する。また外部ファクシミリより前記ファクシミリ規格に応じてファクシミリ画像を送受信する機能を有する。２０５はジョブ制御機能部で、前記スキャナー機能部２０２から受信した二値画像データや、前記ファクシミリ機能部２０５が外部から受信したファクシミリ画像データをプリントジョブとしてキューイングする。そしてジョブ制御機能部２０５は、順次プリント機能部２０３やファクシミリ機能部２０４や、後述するネットワーク機能部２０６に対して適宜出力する、ジョブ制御機能を有する。２０６はネットワーク機能部を現し、ＴＣＰ／ＩＰ、ＨＴＴＰ、ＦＴＰ、ＬＤＡＰ、ＳＮＭＰ、ＳＭＴＰ、ＳＳＬ等の各種ネットワークプロトコル機能を有する。２０７はユーザインタフェース機能部を現し、複合機２０１のオペレーションパネルのユーザによる入出力を管理し、オペレーションパネル上に入力フィールド、出力メッセージフィールド等を表示する。またユーザインタフェース機能部２０７は、ユーザからの入力フィールドに対する入力値を受け取り、他機能部に通知し、また他機能部からのユーザに対するメッセージを予めデザインされた画面に表示する機能を有する。２０８はユーザ認証機能部を現す。ＵＩ機能部２０７やネットワーク上の情報端末（図示せず）を利用してアプリケーション機能部２０９内の各種アプリケーションのユーザ認証要求に対応する。即ち、各種ユーザ認証機能についてユーザ認証設定ファイルを用いてアプリケーション毎に設定する。またユーザ認証機能部２０８は、ネットワーク上のユーザ認証サーバや複合機内部のユーザ認証情報を用いて複合機の各種機能を操作するユーザを認証する機能を有する。
【００２２】
２０９はアプリケーション機能部を現し、複合機２０１上で動作する各種アプリケーションをインストール、ユーザ認証、実行、アンインストールする機能を有する。またアプリケーション機能部２０９は、アプリケーションインストール時にアプリケーションの有効期限を設定する。そして、アプリケーション実行時に後述する時間管理部２１４の機能を利用してアプリケーションインストール時に予め設定された有効期限を判定することにより、有効期限付きアプリケーションを実現する。アプリケーション有効期限の設定は、アプリケーションオブジェクト内部に有効期限情報を格納しても良いし、あるいはアプリケーションインストール時にアプリケーションの付加情報として別オブジェクトとして設定しても良い。また本有効期限は、インストール時からアプリケーションが動作しなくなるまでの日数で示される。有効期限は、有効期間を示す日数でも良いし、あるいは何年何月何日まで、といった有効期限日であっても良い。有効期限日であった場合も、複合機２０１内部のシステム時計から有効期間を示す日数を計算することは自明である。また日数よりさらに細かい単位、例えば秒単位であっても良い。これもシステム内部時計の単位の範囲であれば、有効期限を計算することが可能であることは言うまでもない。本有効期限は、アプリケーションインストール時に後述するインストール時刻設定関数に引数として渡され、複合機２０１内の不揮発性記憶領域に記憶される。
【００２３】
ＭＦＰ上のアプリケーションのうち、アプリケーション本体が既にインストールされているものは、ライセンスキーのみのインストールにより機能を有効化することができる。
【００２４】
ＭＦＰ上でアプリケーションを使用するためには、アプリケーションのインストール後、有効化の手順が必要である。アプリケーション有効化のためには、通常ユーザインタフェース機能部から入力されるライセンスキーを用いる。ライセンスキーは、機能種別、有効化する機器ＩＤを含む。なお、ライセンスキーの入力は、前記ネットワーク機能部を用いてネットワーク経由で行なっても良い。
【００２５】
アプリケーションの有効化は、ＭＦＰにライセンスキーが入力されることで実行される。実際には、各アプリケーションに対応した、ＭＦＰ内部の不揮発性記憶領域に存在するライセンスビットをオンにする。
【００２６】
同様に上記ライセンスビットをオフにすることにより、該当アプリケーションを無効化することができる。
【００２７】
２１０はアプリケーション機能部上で動作する複合機２０１のアプリケーションの一つであるＭａｉｌアプリケーションを示す。Ｍａｉｌアプリケーション２１０は、ネットワーク上の情報端末から送信される電子文書を添付された電子メールを、ネットワーク機能部２０６を用いて受信し、プリント機能部を用いて印刷する機能を有する。またＭａｉｌアプリケーション２１０は、スキャナー機能部２０２を用いて読み取られた電子文書を電子メールに添付し、予め設定された転送先に前記電子文書を添付された電子メールを送信する機能を有する。２１１はアプリケーション機能部上で動作する複合機２０１のアプリケーションの一つである遠隔操作アプリケーションを示す。遠隔操作アプリケーション２１１は、ネットワーク上の情報端末（図示せず）に、ＵＩ機能部を用いて複合機本体に表示する本体タッチパネルと同じインターフェースを表示して、遠隔で操作を可能にする機能を有する。２１２はアプリケーション機能部上で動作する複合機２０１のアプリケーションの一つで、文書フォーマット変換アプリケーションを示す。文書フォーマット変換アプリケーション２１２は、予め設定した電子データフォーマットに変換する機能を有する。操作者によりスキャナー機能部２０２をもちいて読み取られた電子データや、ネットワーク上の情報端末から送信されネットワーク機能部２０６を用いて送信された電子データが変換対象となる。２１３はアプリケーション機能部上で動作する複合機２０１のアプリケーションの一つである文書管理システムアプリケーションを示す。文書管理システムアプリケーション２１３は、ネットワーク上や複合機本体内の予め設定した文書保管場所に格納する機能を有する。操作者による本体操作によりスキャナー機能部２０２をもちいて読み取られた電子データや、ネットワーク上の情報端末から送信されネットワーク機能部２０６を用いて送信された電子データが格納対象となる。
【００２８】
前記Ｍａｉｌ送受信アプリケーション２１０、遠隔操作アプリケーション２１１、文書フォーマット変換アプリケーション２１２、文書管理システムアプリケーション２１３は、ユーザ認証を行うことができる。いずれも操作者がアプリケーションを使用する際に、アプリケーション機能部２０９を通してユーザ認証機能部２０８を用いる。
【００２９】
時間管理機能部２１４はシステム内蔵時計を持ち、複合機２０１の全機能モジュールに対し、時刻設定、参照可能なシステム内蔵時計インターフェースを提供する。また、後述するシステムスタート時からの累積設定差分時刻をいわゆるフラッシュＲＯＭ等の不揮発性記憶領域に保持する機能を有する。また、複合機２０１が接続するネットワーク上の時刻同期サービスによる時刻合わせ機能を持つ。時刻同期サービスとはＴＩＭＥプロトコル（ＲＦＣ８６８）、ＮＴＰプロトコル（ＲＦＣ１３０５）、ＳＮＴＰプロトコル（ＲＦＣ１７６９）等で規定されるプロトコルを用いた時刻同期サービスである。さらに、有効期限付きアプリケーションの有効期限判定を行うために、後述するアプリケーションインストール時のインストール時刻設定機能を持つ。
【００３０】
＜ライセンス発行サーバ＞
図３中、３０１は、ライセンス情報発行処理全般を司る情報処理装置としてのライセンス情報発行サーバである。このライセンス情報発行サーバ３０１に設けられているコンピュータシステムにより、サーバクセス手段、番号要求手段、機体番号認識手段、ライセンス発行確認要請手段、機体番号検査手段、ライセンスキー発行手段、オプション情報登録手段識別子生成手段及び識別子送信手段等が構成されている。
【００３１】
また、３０２はユーザが管理する情報処理装置としてのユーザ端末である。パーソナルコンピュータや携帯端末やプリンタや複写機など、ネットワークに接続可能でソフトウェアをインストール可能なあらゆる情報処理装置がユーザ端末３０２となりうる。ユーザ端末３０２のコンピュータシステムにより、本実施の形態のサーバクセス手段、番号送信手段及びライセンス情報確認手段等が構成されている。
【００３２】
３０３は販売会社が管理する情報処理装置としての販売会社端末であり、３０４はソフトウェア開発業者が管理する情報処理装置としてのソフトウェア開発業者（製造者）端末である。パーソナルコンピュータやワークステーションが、前記販売会社端末３０３やソフトウェア開発業者端末３０４となりうる。
【００３３】
３０５はインターネットなどのネットワークであり、ユーザ端末３０２、販売会社端末３０３及びソフトウェア開発業者端末３０４は、ネットワーク３０５を介してライセンス情報発行サーバ３０１と接続される。
【００３４】
図３中、３８０、３８１、３８２は、前記ライセンス情報発行サーバから発行されるライセンスをインストールすることにより各種アプリケーションが動作する複合機である。複合機は複数存在し、各複合機はユーザ端末と通信する。この複合機３８０、３８１、３８２に設けられているコンピュータシステムにより、スキャナー手段、プリント手段、ＦＡＸ送受信手段、ジョブ制御手段、ネットワーク機能手段、ＵＩ機能手段、ユーザ認証機能手段、ライセンス管理手段、Ｗｅｂアプリケーション手段、アプリケーション機能手段が構成されている。
【００３５】
ライセンス情報管理データベース３０６はライセンス情報発行サーバ３０１に接続され、アプリケーション情報、ライセンス情報を含む商品情報、アクター情報、ソフトウェア識別コード（ＳＩＤ）情報、デバイスシリアル番号（ＤＳ＃）情報、デバイス商品情報、機番データバンド情報、アプリケーションＩＤ、デバイス商品コード関連付け情報、オプション商品情報、ライセンスアクセス番号情報、ライセンスキー情報、オプション情報、顧客情報を格納するライセンス情報管理データベースである。
【００３６】
３０７は、ライセンス情報発行サーバ３０１に含まれる商品登録部であり、商品登録部３０７には、アプリケーション指定モジュール３０８、商品タイプ指定モジュール３０９、商品登録画面表示モジュール３１０、商品情報入力モジュール３１１、ライセンス条件指定モジュール３１２、商品登録モジュール３１３、オプション機能名登録モジュール３５０、オプション商品登録モジュール３５１及びデバイス登録モジュール３５２が含まれる。
【００３７】
３１４は、ライセンス情報発行サーバ３０１に含まれるＳＩＤ発行部であり、商品選択モジュール３１５、オプションコード指定モジュール３５３及びＳＩＤ発行モジュール３１６が含まれる。
【００３８】
３１７は、ライセンス情報発行サーバ３０１に含まれるＬＦ（ライセンスファイル）発行部であり、ＳＩＤ＃入力モジュール３１８、ＤＳ＃入力モジュール３１９、商品選択モジュール３２０、ライセンス条件指定モジュール３２１及びＬＦ発行モジュール３２２が含まれる。
【００３９】
３６０は、ライセンス発行サーバ３０１に含まれるライセンスアクセス番号であるＬＡ＃発行部であり、ライセンスアクセス番号（ＬＡ＃）を発行するためのオプションを指定するためのオプションコード指定モジュール３６１と、取得したい数を入力してライセンスアクセス番号（ＬＡ＃）を発行するLA#発行モジュール３６２が含まれる。
【００４０】
３５４は、ライセンス情報発行サーバ３０１に含まれるL key発行部（ライセンスキー発行部）であり、ＬＡ＃入力モジュール３５５、ＤＳ＃入力モジュール３５６及びL key発行モジュール３５７が含まれる。
【００４１】
３２３は、ユーザ端末３０２に含まれる表示部であり、３２４はユーザ端末３０２に含まれる入力部である。３２５は販売会社端末３０３に含まれる表示部であり、３２６は販売会社端末に含まれる入力部である。３２７はソフトウェア開発業者端末３０４に含まれる表示部であり、３２８はソフトウェア開発業者端末に含まれる入力部である。
【００４２】
本システムで管理されるソフトウェアを、ユーザが管理する情報処理装置にインストールするためには、常に、ライセンス情報発行サーバ３０１から発行されたライセンス情報が必要とされる。ライセンス情報発行サーバ３０１は、ネットワーク３０５を介した適正なアクセスがあれば、ライセンス情報を発行する。
【００４３】
ライセンス情報には、ソフトウェアのインストール先の情報処理装置固有の識別情報を埋め込むことができ、その場合、他の装置に対して同じソフトウェアをインストールする際には、異なるライセンス情報が必要となる。これにより、ソフトウェアの無断複製を防止可能となっている。
【００４４】
（ライセンス発行の流れ）
以下、本実施例におけるライセンス発行について詳述する。
【００４５】
図４から図７は、本実施例におけるライセンス発行サーバ１０１におけるユーザインタフェース画面を示した図である。
【００４６】
本発明のライセンス発行は、ネットワーク経由でインストール可能なライセンス、デバイスに直接インストール可能なライセンスキー番号を発行する。
【００４７】
図４の４０１はライセンス発行サーバ１０１のライセンス発行ユーザインタフェースである。操作者１０６は、使用したいアプリケーションのライセンスを発行してもらう。
【００４８】
前記操作者１０６は、４０２で示されるアプリ名、アプリＩＤに対して、４０３で有効期限、カウンタ値を設定する。有効期限またはカウンタ値が設定されていた場合、４０４でＬＫ＃のチェックボックスは選択できず、ＬＦのみ選択できる。
【００４９】
次へボタン４０５を押下することにより、確認画面に遷移する。またＣａｎｃｅｌボタン４０６を押下すると、ライセンス発行の処理をキャンセルすることができる。
【００５０】
図５では、５０２の有効期限、カウンタ値の入力部分で有効期限として「30日」を入力した場合の画面である。５０４ではＬＦのみ選択可能となる。
【００５１】
６０１は、前記操作者１０６が入力した項目を確認するユーザインタフェース画面である。
【００５２】
６０２でライセンスを発行するアプリ名、ライセンスＩＤを表示する。６０３で有効期限、カウンタ値、ライセンスファイル形式を表示する。発行ボタン６０４を押下することにより、ライセンスを発行する。またキャンセルボタン６０５を押下すると、ライセンス発行の処理をキャンセルすることができる。
【００５３】
７０１は、ライセンス発行確認画面である。７０２でライセンスを発行した旨を表示する。７０３のリンクをクリックするとライセンスファイルがダウンロードされる。ＯＫボタン７０４を押下すると、ライセンス発行の処理を終了する。
【００５４】
（ライセンス無効化の流れ）
図８から図１０は本実施例におけるＭＦＰ１０２におけるユーザインタフェース画面を示した図である。
【００５５】
図８は、ＭＦＰ１０２のライセンスを無効化するためのユーザインタフェースである。
【００５６】
８０１は、無効化したいアプリケーションを選択するユーザインタフェースである。
【００５７】
８０２で無効化したいアプリケーションを選択する。
【００５８】
次へボタン８０３を押下することにより、確認画面に遷移する。またキャンセルボタン８０４を押下すると、ライセンス無効化の処理をキャンセルすることができる。
【００５９】
９０１はユーザが選択した無効化したいライセンスの確認画面である。９０２で無効化するライセンスのアプリ名、有効期限、カウンタ値、ライセンス形式を表示する。
【００６０】
発行ボタン９０３を押下することにより、無効化ライセンスを発行する。またキャンセルボタン９０４を押下すると、ライセンス無効化の処理をキャンセルすることができる。
【００６１】
１００１は無効化証明ライセンスの発行画面である。１００２で無効化証明ライセンスを発行したメッセージを表示する。
【００６２】
１００３のリンクをクリックすると無効化証明ライセンスがダウンロードできる。７０４のＯＫボタンをクリックするとライセンス無効化の処理を終了する。
【００６３】
１１０１は、本実施例におけるライセンスファイルのフォーマットの一例である。１１０２は可読性のあるテキストファイルで記述される。１１０３は暗号化された箇所である。１１０４でライセンスファイルのバージョンを記述する。１１０５でライセンスファイルのＩＤを記述する。１１０６で機能ＩＤを記述する。１１０７はシリアルナンバーを記述する。１１０８は、有効期限を金術する。単位は「日」である。１１０９はカウンタ値を記述する。単位は「回」である。１１１０はライセンスキーの番号を記述する。
【００６４】
１２０１は、ライセンスファイルの一例である。１２０２から１２０６が１１０２の可読性のあるテキストファイル、１２０８が１１０３の暗号化された部分である。
【００６５】
１２０２は、ライセンスファイルのバージョン２を記述している。１２０３は、ライセンスファイルのＩＤ２２２２２を記述している。１２０３は機能ＩＤ１２４３２を記述している。１２０４はシリアルナンバーＡＡＡ０００００を記述している。１２０６は有効期限30日を記述している。１２０７はカウンタ値100回を記述している。１２０８はこれらの情報を暗号化したものを記述している。
【００６６】
図１３は、ライセンス発行サーバ側の処理を示している。
【００６７】
１３０１でライセンス発行の処理をstartする。１３０２でユーザが入力した項目で有効期限、カウンタ値の指定があるかを判断する。有効期限、カウンタ値の指定がある場合、１３０３でライセンスファイル（ＬＦ）を発行する。有効期限、カウンタ値の指定がない場合、１３０４でライセンスファイル（ＬＦ）かライセンスキー番号（ＬＫ＃）をユーザが選択し、ライセンスを発行する。
【００６８】
１３０５でライセンス発行の処理を終了する。
【００６９】
図１４は、ＭＦＰ１０２におけるライセンス無効化のフローチャートである。
【００７０】
１４０１でライセンス無効化の処理をstartする。１４０２で無効化したいライセンスが有効期限、あるいはカウンタ値の指定があるライセンスなのかを判断する。有効期限、あるいはカウンタ値の指定があるライセンスの場合、１４０３で無効化証明ライセンスファイルを発行する。有効期限、あるいはカウンタ値の指定がないライセンスの場合、１４０４でデバイスがネットワークにつながっているのかを判断する。デバイスがネットワークにつながっている場合、１４０５で無効化証明ライセンスファイルを発行する。デバイスがネットワークにつながっていない場合、１４０６で無効化証明ライセンスキー番号を発行する。１４０７でライセンスの無効化処理を終了する。
【符号の説明】
【００７１】
２０１  複数の有効期限付きアプリケーションが動作する複合機
２０２  複合機２０１におけるＳｃａｎ機能部
２０３  複合機２０１におけるＰｒｉｎｔ機能部
２０４  複合機２０１におけるＦＡＸ機能部
２０５  複合機２０１におけるジョブ制御機能部
２０６  複合機２０１におけるネットワーク機能部
２０７  複合機２０１におけるＵＩ機能部
２０８  複合機２０１におけるユーザ認証機能部
２０９  複合機２０１におけるアプリケーション機能部
２１０  アプリケーション機能部２０９におけるＭａｉｌ送受信アプリケーション
２１１  アプリケーション機能部２０９における遠隔操作アプリケーション
２１２  アプリケーション機能部２０９における文書フォーマット変換アプリケーション
２１３  アプリケーション機能部２０９における文書管理システムアプリケーション
２１４  複合機２０１における時間管理機能部
【図１】
2011002978.tif 000003
【図２】
2011002978.tif 000004
【図３】
2011002978.tif 000005
【図４】
2011002978.tif 000006
【図５】
2011002978.tif 000007
【図６】
2011002978.tif 000008
【図７】
2011002978.tif 000009
【図８】
2011002978.tif 000010
【図９】
2011002978.tif 000011
【図１０】
2011002978.tif 000012
【図１１】
2011002978.tif 000013
【図１２】
2011002978.tif 000014
【図１３】
2011002978.tif 000015
【図１４】
2011002978.tif 000016